(57)【要約】 【目的】  幼児を安定に抱っこする時の機能性が優れているだけでなく、抱っこしない時や幼児が大きくなり抱っこ紐として不用になった場合には、折り畳んでリュックとして使用することができるリュック兼用幼児抱っこ紐を提供する。【構成】  細長い布の端部に複数のリングを設けるとともに、反対側の端部にポケットおよび底面と側面を重ねて係合できるファスナー等の係合具を設け、係合具を設けた側の先端部だけをリングに通して幼児抱っこ紐を形成するとともに、係合具を設けた側の全体を通し布の幼児収容部をポケットに収容した後、端部またはリングと紐係止具に紐を通してリュックを形成する。【選択図】  図１
2006130081.tif 000002
【特許請求の範囲】
【請求項１】
布の端部に複数のリングと着脱自在な紐が設けられ、他端部の底面の中心部および端部に紐の係止具が設けられ、さらに他端部にポケットが設けられているとともに底面および側面の少なくとも１つが係合できる係合具が設けられていることを特徴とするリュック兼用幼児抱っこ紐。
【請求項２】
端部を折り畳んで幅を減縮させた布に複数のリングが係止されていることを特徴とする請求項１に記載されているリュック兼用幼児抱っこ紐。
【請求項３】
底面および側面の係合具が底面の中央部または側面部に設けられていることを特徴とする請求項１または２に記載されたリュック兼用幼児抱っこ紐。
【請求項４】
底面が結合されていると共に係合具が側面に設けられていることを特徴とする請求項１または２に記載されたリュック兼用幼児抱っこ紐。
【請求項５】
他端部に設けられているポケットが中心部の両側に設けられていることを特徴とする請求項１ないし４のいずれかに記載されたリュック兼用幼児抱っこ紐。
【発明の詳細な説明】
【技術分野】
【０００１】
この出願の発明は幼児を連れて外出する時や公園等で子守りする時に使用するスリングと称される幼児のキャリヤーに関するものである。さらに詳しくは、この出願の発明は幼児を抱っこする時に使用する幼児抱っこ紐や簡単な操作でリュックに変換できるリュック兼用幼児抱っこ紐に関するものである。
【背景技術】
【０００２】
昔の日本では、幼児を連れて外出する時や公園等で子守りをする時には、ほとんどの人が「ねんねこ」を用いて、背中で「おんぶ」をしていた。
しかしながら、最近では、「ねんねこ」を用いて「おんぶ」するよりも一般にスリングと称される幼児キャリヤーを用いて、体の前で抱きかかえたり背中で背負ったりしている光景を街中や電車の中でよく見かける。
【０００３】
昔から使用されている「ねんねこ」は大体の型式が決まっていたが、このスリングと称される幼児キャリヤーはサリーのような1枚の細長い帯状の布の端部を結んで輪状にし、中央部に乳幼児を収容して、首に吊るしたり肩に掛けたりするハンモックのような構造のものや乳幼児がすわる座椅子状のものに紐を付けて首や肩から吊るしたり背中に背負う構造等の様々な型式がある。  
このスリングについては、今も様々な工夫や改良がなされており特許出願も多数なされている（文献１〜５）。
【特許文献１】：  実開平０７−０１４９２１号公報
【特許文献２】：  特開２００３−０４７５４２号公報
【特許文献３】：  特開２００３−２９００００号公報
【特許文献４】：  特開２００４−２４８８８８０号公報
【特許文献５】：  実用新案登録３１０１０７５号公報
【発明の開示】
【発明が解決しようとする課題】
【０００４】
これまで使用されてきた細長い布の端部を結んでその中央部に乳幼児を収容する、いわゆる幼児抱っこ紐の改良としては、幼児収容部の縁部を少し硬目に加工して幼児を安定に保持できるようにしたり、ポケットを付けたり、あるいは折り畳んでコンパクトにして持ち運びが簡単にできるようにするなど工夫されているが、これまでの幼児抱っこ紐の改良はどちらかと言うと幼児抱っこ紐としての機能性だけに比重をおいた工夫や改良がなされていた。
しかしながら、この出願の発明は乳幼児を安定に抱っこする際の機能性が優れているだけでなく、幼児抱っこ紐として使用しない時や幼児が大きくなり幼児抱っこ紐としての役目が終わった場合には、折り畳んでリュックとしても使用することが可能なリュック兼用幼児抱っこ紐を提供することを課題としている。
【課題を解決するための手段】
【０００５】
この出願の発明は、上記の問題を解決するものとして、第１には、布の端部の底面と側面を係合して袋状体を形成した後、複数のリングに通して折り返して１つのリングを通して係止することにより幼児抱っこ紐として使用できるとともに、リングを通して幼児を収容する部分をポケットに収容して背負い紐を付けることによりリュックにもなるリュック兼用幼児抱っこ紐を提供する。
第２には、端部を折り畳んで帯状にした布をリングに係止することにより肩部にかける吊るし部の幅が調整されたリュック兼用幼児抱っこ紐を提供する。
第３には、端部の底面および側面を重ね合わせて底面中心部または側面部に設けられた係合具を移動させて底面および側面を係合することにより収容部を備えたリュック兼用幼児抱っこ紐を提供する。
第４には、端部の側面を重ね合わせて側面に設けられた係合具を移動させて側面を係合することにより収容部を備えたリュック兼用幼児抱っこ紐を提供する。
第５には、ポケットを中心部の左右に設けることによりリュックの背中に接する側に幼児を収容する部分を収容するためのポケットと外側にもポケットを備えたリュック兼用幼児抱っこ紐を提供する。
【発明の効果】
【０００６】
上記第１のリュック兼用幼児抱っこ紐によれば、幼児抱っこ紐の幼児収容部をポケットに収容して背負い紐を付けるだけの簡単な操作でリュックとしても使用できる
上記第２のリュック兼用幼児抱っこ紐によれば、端部を折り畳んで帯状にした布をリングに係止させることにより丈夫で、しかも幼児を抱っこするのに好適な幅の吊るし紐が形成される。
上記第３のリュック兼用幼児抱っこ紐によれば、係合具で底面および側面が係合されて形成された収容部を備えたリュックが形成される。
上記第４のリュック兼用幼児抱っこ紐によれば、係合具で側面が係合されて形成された収容部を備えたリュックが形成される。
上記第５のリュック兼用幼児抱っこ紐によれば、収容部やリュックの外側と背中側にポケットを備えたリュックが形成される。
【発明を実施するための最良の形態】
【０００７】
この出願のリュック兼用幼児抱っこ紐（１）の発明を図1〜図８に従って説明すると、図1はこの出願の発明のリュック兼用幼児抱っこ紐（１）の全体を示したものであり、このリュック兼用幼児抱っこ紐（１）は、ショールとして使用されているような細長い丈夫な１枚の布から構成されている。そして、リュック兼用幼児抱っこ紐（１）の一方の端部（２）には複数のリング（３）が設けられている。この細長い布の端部とリング（３）の結合は、布の端部をそのままリング（３）に通して折り返したものを縫製してもよいが、好ましくは縦方向に沿って折り畳んで布の幅を縮小させたものを縫製した後、リング（３）に通した方が幼児抱っこ紐（４）としても強度的に強く、また肩に掛けて幼児を抱っこする時にも適当な幅の紐としても好ましい。
【０００８】
他端部（５）すなわちリング（３）を設けた側と反対側の端部に少なくとも１つ以上のポケット（６）を設けることが望ましいが、このポケット（６）は幼児を抱っこする紐（４）として利用する場合にも、リュック（１１）として利用する場合にも色々なものを入れる収容部として利用することができる。
なお、ポケット（６）の数や位置については特に限定されるわけではないが、リュック（１１）として使用する場合にはリュック（１１）の背中に接する側と外側に少なくともポケット（６）が１つ設けられるように中心部の右側と左側に設けることが好ましい。
【０００９】
なお、ポケット（６）を設けた時のポケット（６）の開口部については収納する物に応じて適宜工夫することが好ましい。例えば、玩具を収納する場合には、そのままでもよいが、薬や財布等の貴重品を収納する場合にはポケット（６）の開口部にファスナーやボタン等を設けて簡単に開口しないように工夫することが必要である。また、他端部（５）の底面に近い中心部と側面部にはリュック（１１）が形成された時に端部（２）またはリング（３）と結んで背負ったり、肩に掛けたりする紐（７）を係止するための係止具（８）が設けられている。
さらに、他端部（５）の底面の中心部または側面部には係合具（９）が設けられているが、この係合具（９）は、二つに折りにして底面と側面を重ね合わせた状態でファスナー等の係合具（９）を移動させることにより、係合されて収容部となる袋状体が形成されるように設けられている。
【００１０】
図２は図１に記載されているリュック兼用幼児抱っこ紐（１）の中心部（１２）を折り、底面と側面を重ね合わせてファスナー等の係合具（９）を移動して、底面と側面が係合されて収容部が形成された状態を示したものである。
なお、図２に示されているポケット（６）は図１に図示されている２つのポケットの１つであり、もう一つのポケットは反対側に設けられている。
なお、ファスナー等の係合具（９）で形成される収容部は、この表面に設けられたポケット（６）と裏面に設けられたポケット（６）の間に形成されることになる。
【００１１】
図３は幼児抱っこ紐（４）やリュック（１１）を形成するために、他端部（５）の先端を複数のリング（３）に通している状態を示したものである。
また、図４は他端部（５）を複数のリング（３）に通した後、折り返して１つのリング（３）に通して係止する状態を示したものである。
この図１から図４で示されている工程は、幼児抱っこ紐（４）を形成する時にもリュック（１１）を形成する時も共通して必要な工程である。
しかしながら、幼児抱っこ紐（４）を形成する場合には、図４に示されているように複数のリング（３）を通した後、リュック兼用幼児抱っこ紐（１）の先端部を折り返して１つのリング（３）に通して係止することにより、リュック兼用幼児抱っこ紐（１）を輪状に形成して、その中央部の幅の広い部分に乳幼児を収容する。図８は完成した幼児抱っこ紐（４）を使用している形態を示したものであるが、この幼児抱っこ紐（４）は、図７に示されているように、幼児抱っこ紐（４）の先端部にはファスナー等の係合具（９）等で形成された収容部が設けられることになる。
【００１２】
図５および図６はこの出願の発明の特徴であるリュック（１１）を形成する工程を示したものである。図５はリュック兼用幼児抱っこ紐（１）の中心部（１２）を折り、底面と側面を重ね合わせてファスナー等の係合具（９）で係合したり、底面を結合し、側面を重ね合わせてファスナー等の係合具（９）で係合して収容部（１０）を作成する。そして形成された収容部（１０）をリング（３）に通した後、幼児抱っこ紐として使用する時に使用する幼児収容部（１３）をポケット（６）に収容している状態を示したものである。
【００１３】
ポケット（６）はリュック（１１）の背中と接する側と外側に設けられているが、この布の幼児収容部を収容するポケット（６）はリュック（１１）の背中側に位置するポケット（６）に収納することが好ましい。と言うのもこの布の幼児収容部を収納するポケット面をリュック（１１）の外側にすることは意匠的にも好ましいものではなく、また背中側にあるポケット（６）は収納や取り出しに不便である。なお、この出願の発明では図１で示すようにポケット（６）をリュック兼用幼児抱っこ紐（１）の中心部の左右対称に１つづつ設ける態様について説明をしたが、ポケット（６）の数や形状は適宜変更してもよいことは言うまでもない。
【００１４】
図６は布の幼児収容部（１３）をポケット（６）に収納した後、リュック（１１）の背中に接する側を示したものである。紐（７）を端部（２）またはリング（３）と紐係止具（８）に掛けることによりリュック（１１）として完成する。
紐（７）はリュック兼用幼児抱っこ紐（１）の端部（２）またはリング（３）に着脱自在に設けてもよく、ポケット（６）に収納してリュック（１１）として使用する時に取り出してもよい。
なお、紐（７）を端部（２）またはリング（３）と外側の係止具（８）だけに掛けて１本の紐で結ぶことにより肩に斜めに掛ける形式のリュックにもなる。
【産業上の利用可能性】
【００１５】
幼児をつれて外出する時のキャリヤーとして使用できるとともに、幼児が歩行する時や幼児が成長して幼児のキャリヤーとして不要になった場合にはリュックとしても使用できる。
【図面の簡単な説明】
【００１６】
【図１】組み立て前のリュック兼用幼児抱っこ紐の全体を示したものである。
【図２】リュック兼用幼児抱っこ紐の他端部を重ね合わせてファスナーで底面と側面を係合した状態を示したものである。
【図３】重ね合わせたリュック兼用幼児抱っこ紐の先端部を複数のリングに通している状態を示したものである。
【図４】重ね合わせたリュック兼用幼児抱っこ紐の先端部をリングに通した後、１つのリングに通して係止させる状態を示したものである。
【図５】リュック兼用幼児抱っこ紐をリングに通してリュックを形成した後、幼児収容部をポケットに収納している状態を示したものである。
【図６】完成したリュックの背中に接する面を示したものである。
【図７】リュック兼用幼児抱っこ紐の先端部を複数のリングを通した後、折り返して１つのリングに通して係止して乳幼児抱っこ紐が形成された状態を示したものである。
【図８】乳幼児抱っこ紐として使用している状態を示したものである。
【符号の説明】
【００１７】
１  リユック兼用幼児抱っこ紐
２  リングを設けた側の端部
３  リング
４  幼児抱っこ紐
５  他端部
６  ポケット
７  紐
８  係止具
９  係合具
１０  収容部
１１  リュック
１２  中心部
１３  幼児収容部
【図１】
2006130081.tif 000003
【図２】
2006130081.tif 000004
【図３】
2006130081.tif 000005
【図４】
2006130081.tif 000006
【図５】
2006130081.tif 000007
【図６】
2006130081.tif 000008
【図７】
2006130081.tif 000009
【図８】
2006130081.tif 000010